(57)【要約】【課題】交流点灯する放電ランプと、これを取り囲む反射鏡とからなり、該反射鏡には前記放電ランプに給電するハーネスのプラグを固定する給電端子を備えてなる光源装置において、点灯時に放電ランプの振動に伴って、給電端子が音鳴りすることを防止した構造を提供することである。【解決手段】前記給電端子を、ランプへの給電線が接続される第１の板片と、電源からの給電ハーネスのプラグを固定する螺子が取り付けられた第２の板片とから構成し、前記第１の板片に、前記螺子の頭と対向する位置に切欠きを設けたことを特徴とする。【選択図】  図１
2012059378.tif 000002
【特許請求の範囲】
【請求項１】
交流点灯する放電ランプと、これを取り囲む反射鏡とからなり、該反射鏡には前記放電ランプに給電するハーネスのプラグを固定する給電端子を備えてなる光源装置において、
該給電端子は、該放電ランプの給電線に接続された第１の板片と、該第１の板片に略Ｌ字状に立設され、且つ、前記プラグを固定するための螺子が設けられた第２の板片とを備え、
前記第１の板片は、前記螺子に対向する部分に切欠きを有する
ことを特徴とする光源装置。
【発明の詳細な説明】
【技術分野】
【０００１】
本発明は、放電ランプと反射鏡とからなる光源装置に関し、特に、プロジェクターの光源等に利用される光源装置に係わるものである。
【背景技術】
【０００２】
従来、プロジェクターの光源として利用されている光源装置は、放電ランプと、その放電ランプを囲むように配置された反射鏡とよりなる光源装置が、例えば、特開２００９−１１７２８４号公報（特許文献１）等により、知られている。このような光源装置では、楕円鏡である反射鏡の第一焦点に放電ランプの電極間を位置させ、第二焦点近傍に液晶パネル等を配置した構造である。
【０００３】
図４にその概略構造が示されており、一対の電極１２、１２が対向配置された放電ランプ１０を取り囲むように回転楕円面形状の反射鏡１１が設けられている。前記放電ランプ１０は、その封止部１３において、ベース１４を介して前記反射鏡１１に、図示しない接着剤等により固着されている。
そして、前記ベース１４には、給電端子１５が取り付けられていて、前記放電ランプ１０の外部リード１６に接続された給電線１７がこの給電端子１５に溶接１８等により接続されている。
この給電端子１５の詳細構造が、図５、図６に示されている。
図において、給電端子１５は、第1の板片１５ａと、これに立設された第２の板片１５ｂとからなり、これら第１、第２の板片１５ａ、１５ｂは略Ｌ字状をなしている。そして、前記第１の板片１５ａには前記給電線１７が溶接１８等によって接続されており、第２の板片１６ｂには螺子１９が取り付けられていて、図示しない電源からの給電ハーネスのプラグが該螺子１９によって接続され、これにより電源から放電ランプ１０への給電がなされるものである。
【０００４】
ところで、このような高圧放電ランプには直流点灯型と交流点灯型が存在するが、このうち、交流点灯型の場合には、点灯周波数に応じた陰極から陽極、または、陽極から陰極への極性反転にともなって、ランプが振動し、この振動により、構成部材間で互いに衝突や擦れ合いが生じ、これが原因となってランプ点灯時に音鳴りがする、といった問題があった。
この問題を解決する手段として、例えば特開２００９−４３６９８号が知られている。これによれば、光源装置の反射鏡開口側に配置された給電線が、該反射鏡に設けられた貫通孔から引き出される箇所に、柔軟性のあるチューブを配置することで解決している。
【０００５】
この提案により、反射鏡開口側の給電線と貫通孔との間で発生していた音鳴りは防止されたが、それでもなお他の部位で音鳴りが発生するといった問題があることが判明した。
本発明者らはこの音鳴りの原因を調査した結果、反射鏡の首部側の外部リードに接続された給電線が振動し、この振動が給電線に接続されている給電端子に伝達されて、該給電端子に電源の給電ハーネスのプラグを接続する固定用の螺子と、前記給電端子とが接触して音鳴りが発生していることが判った。
詳細には、図５、６に示すように、給電線１７が振動すると、これに接続された給電端子１５が振動し、その結果、該給電端子１５の第２の板片１５ｂに取り付けられた螺子１９の頭１９ａと、前記第１の板片１５ａとが擦れ合って不快音が発生するものであった。
【先行技術文献】
【特許文献】
【０００６】
【特許文献１】特開２００９−１１７２８４号公報
【特許文献２】特開２００９−４３６９８号公報
【発明の概要】
【発明が解決しようとする課題】
【０００７】
この発明が解決しようとする課題は、放電ランプと反射鏡とからなり、該反射鏡に、前記放電ランプの給電線が接続されるとともに、前記放電ランプに給電するハーネスのプラグが固定される給電端子を備えてなる光源装置において、放電ランプ点灯時に、反射鏡後方の給電端子と、プラグ固定用の螺子との擦過による音鳴りを防止して、音鳴りの発生しない光源装置を提供するものである。
【課題を解決するための手段】
【０００８】
上記課題を解決するために、この発明に係る光源装置は、前記給電端子は、該放電ランプの外部リードに接続された給電線が接続された第１の板片と、該第１の板片に略Ｌ字状に立設され、且つ、前記プラグを固定するための螺子が設けられた第２の板片とを備え、前記第１の板片には、前記螺子に対向する部分に切欠きを有することを特徴とする。
【発明の効果】
【０００９】
この発明の光源装置によれば、放電ランプの外部リードに接続された給電線が振動して、これが給電端子に伝達されても、該給電端子を構成する板片には固定螺子の頭に対向する部位に切欠きが設けられているので、該固定螺子の頭と板片とが擦れ合うことがなく、不快な音鳴りが発生することがないという効果を奏するものである。
【図面の簡単な説明】
【００１０】
【図１】本発明の光源装置の全体断面図。
【図２】本発明の給電端子構造の斜視図。
【図３】図２の矢視図およびその側面図。
【図４】従来例の全体断面図。
【図５】従来例の給電端子構造の斜視図。
【図６】図５の矢視図およびその側面図。
【発明を実施するための形態】
【００１１】
図１において、反射鏡１１に設けられる給電端子１の構造が図４の従来例と異なるだけで、その他の構造は従来例と同様である。
即ち、放電ランプ１０はその封止部１３がベース１４を介して反射鏡１１に取り付けられている。給電端子１がベース１４に取り付けられていて、前記放電ランプ１０の外部リード１６に接続された給電線１７が、該給電端子１に溶接１８等により接続されている。
給電端子１の詳細構造が図２および図３に示されている。これらの図に示されるように、給電端子１は、第１の板片１aと、これに立設された第２の板片１ｂとからなり、これら第１、第２の板片１ａ、１ｂは略Ｌ字状をなしている。
そして、前記第１の板片１ａには前記給電線１７が溶接１８等によって接続されており、第２の板片１ｂには螺子１９が取り付けられていて、電源からの給電ハーネスのプラグ（いずれも不図示）が該螺子１９によって給電端子１に接続され、これにより電源から放電ランプ１０への給電がなされるものである。
なお、給電線１７の接続は、第１の板片１aの裏面側、即ち、第２の板片１ｂとは反対側でなされると、螺子１９の頭１９aと干渉することがなく、好適である。
【００１２】
そして、上記給電端子１の第１の板片１aには、切欠き２が形成されていて、該切欠き２は、前記螺子１９の頭１９aに対応する箇所に位置し、該頭１９aと板片１aとの擦れ合いが避けられる。
なお、切欠き２は第１の板片１aの側辺に開口して切欠かれる形状を示したが、両側に板片部分を残すように形成してもよい。
また、放電ランプ１０は、ベース１４を介して反射鏡１１に取り付けられる構造を示したが、ベース１４なしに、反射鏡１１に直接取り付ける構造であってもよく、その場合には、給電端子１は、反射鏡１１に取り付けられるものである。
【００１３】
上記構成において、放電ランプ１０の点灯時の振動は、外部リード１６、給電線１７を介して給電端子１に伝えられるが、その第１の板片１ａには切欠き２が設けられているので、振動によって螺子１９の頭１９aと擦れ合うことがない。
【００１４】
以上説明したように、本発明に係る光源装置は、放電ランプが取り付けられた反射鏡に設けられた給電端子に、該給電端子に設けられる螺子に対向する位置に切欠きを設けたことにより、放電ランプが振動しても螺子と給電端子の板片とが擦れ合うことがないので、音鳴りが生じることがない。
【符号の説明】
【００１５】
１          給電端子
１ａ        第１の板片
１ｂ        第２の板片
２          切欠き
１０        放電ランプ
１１        反射鏡
１３        封止部
１４        ベース
１６        外部リード
１７        給電線
１８        溶接部
【図１】
2012059378.tif 000003
【図２】
2012059378.tif 000004
【図３】
2012059378.tif 000005
【図４】
2012059378.tif 000006
【図５】
2012059378.tif 000007
【図６】
2012059378.tif 000008